(57)【特許請求の範囲】
【請求項１】
缶体内に掛け回され、多数のびんを保持して搬送する無端状のキャリアと、缶体の一方の端部に設けられ、上記キャリアにびんを供給する給壜部と、この給壜部の上方に設けられ、上記キャリアからびんを排出する排壜部と、上記給壜部および排壜部側と缶体内の洗浄領域とを区画する隔壁とを備えた洗壜機において、上記給壜部側と排壜部側とを、上記キャリアが通過可能に遮断する仕切板を設け、上記缶体内にその両側壁面、端部壁面、天面およびこの仕切板とにより排壜部を囲む空間を形成し、かつ、排壜部側の空間に設けた空気吹出口と、この空気吹出口に清浄な空気を供給し、排壜部側を陽圧に保持しこの清浄な空気を給壜部側および洗浄領域側に流出させる供給手段とを備えたことを特徴とする洗壜機。
【請求項２】
缶体内に掛け回され、多数のびんを保持して搬送する無端状のキャリアと、缶体の一方の端部に設けられ、上記キャリアにびんを供給する給壜部と、この給壜部の上方に設けられ、上記キャリアからびんを排出する排壜部と、上記給壜部および排壜部側と缶体内の洗浄領域とを区画する隔壁とを備えた洗壜機において、上記給壜部側と排壜部側とを、上記キャリアが通過可能に遮断する第１の仕切板と、この第１の仕切板と接続され、排壜部と上記キャリアの移動領域との間を遮断するとともに、キャリアから取出されるびんが通過する穴を有する第２の仕切板とを設け、上記缶体内にその両側壁面、端部壁面、天面および第１第２の仕切板とにより排壜部を囲む空間を形成し、かつ、この空間内に空気を吹出す空気吹出口と、この空気吹出口に清浄な空気を供給し、排壜部側を陽圧に保持しこの清浄な空気を上記穴からキャリアの移動領域側に流出させる供給手段とを設けたことを特徴とする洗壜機。
【発明の詳細な説明】
【０００１】
【発明の属する技術分野】
本発明は洗壜機に係り、特に、給壜部と排壜部が同一の端部側の上下に配置されているシングルエンドタイプの洗壜機に関するものである。
【０００２】
【従来の技術】
洗壜機は、一般に、缶体内に多数のスプロケットを介して掛け回された無端状のチェーンに多数のびんホルダが取付けられて成るキャリアと、このキャリアの各びんホルダ内にびんを供給する給壜部と、キャリアによって搬送される多数のびんに洗浄液を噴射して洗浄するジェット洗浄部およびこれらのびんを浸漬することにより洗浄する浸漬槽等から成る洗浄領域と、この洗浄領域において洗浄された後のびんを上記キャリアのびんホルダ内から取出して排出する排壜部等を備えている。
【０００３】
特に、無端状のキャリアの各びんホルダ内にびんを供給する給壜部と、ホルダからびんを取出す排壜部とが、缶体の同一の端部側に設けられているシングルエンドタイプの洗壜機では、給壜部の直上に排壜部が配置されており、また、給壜部の、キャリアにびんを供給する位置の下方に、外部から搬入されたびんを洗浄領域に搬入する前に予備洗浄を行なうための予備浸漬槽が設けられ、さらに、この予備浸漬槽の上方には、上記給壜部および排壜部が配置されている端部側と缶体内部の洗浄領域とを区画するための隔壁が設けられている（特公平２−４１９６５号公報参照）。
【０００４】
【発明が解決しようとする課題】
上記給壜部は、洗浄前のびんが外部から搬入されるので、この給壜部側の雰囲気は汚染されるおそれがある。しかも、給壜部の下方には予備洗浄槽が設けられているため、この予備洗浄槽からのぼる蒸気によって、給壜部側の雰囲気が上方の排壜部側に侵入する。一方、排壜部は、洗浄後の清潔なびんを排出する部分であるから、清浄な雰囲気が保持されていなければならない。従って、給壜部側の雰囲気と排壜部側の雰囲気とを完全に遮断しておくことが好ましい。しかしながら、上記のようなシングルエンドタイプの洗壜機では、無端状のキャリアが、給壜部、ジェット洗浄部や浸漬槽等を有する洗浄領域および排壜部の間を連続して掛け回されているので、給壜部と排壜部とを仕切等によって完全に遮断することが不可能であった。
【０００５】
本発明は、上記欠点を除くためになされたもので、給壜部側の雰囲気、予備浸漬槽からの蒸気あるいは外気等が排壜部内に侵入することを防いで、排壜部の雰囲気を清浄に維持することを可能にしたシングルエンドタイプの洗壜機を提供することを目的とするものである。
【０００６】
【課題を解決するための手段】
本発明に係る洗壜機は、缶体内に掛け回され、多数のびんを保持して搬送する無端状のキャリアと、缶体の一方の端部に設けられ、上記キャリアにびんを供給する給壜部と、この給壜部の上方に設けられ、上記キャリアからびんを排出する排壜部と、上記給壜部および排壜部側と缶体内の洗浄領域とを、上記キャリアが通過できる状態で区画する隔壁とを備えており、キャリアによってびんを保持して搬送する間にこれらのびんの洗浄を行なうものであって、特に、上記給壜部側と排壜部側とを、上記キャリアが通過可能に遮断する仕切板を設け、上記缶体内にその両側壁面、端部壁面、天面およびこの仕切板とにより排壜部を囲む空間を形成し、かつ、排壜部側の空間内に空気を噴射する空気吹出口と、この空気吹出口に清浄な空気を供給し、排壜部側を陽圧に保持しこの清浄な空気を給壜部側および洗浄領域側に流出させる供給手段とを設けたものである。
【０００７】
上記構成に係る洗壜機では、空気吹出口から排壜部の空間内に清浄な空気を吹込むと、この空間内は、缶体の壁面と隔壁および上記仕切板によって区画されており、給壜部や洗浄領域との連通部が狭いので、空間内が陽圧になり、さらに、この清浄な空気が給壜部側および洗浄領域側に流出する。従って、給壜部や洗浄領域の雰囲気あるいは缶体の外部の空気等が排壜部側に侵入することがないので、排壜部の清浄な雰囲気が維持される。
【０００８】
また、第２の発明に係る洗壜機は、缶体内に掛け回され、多数のびんを保持して搬送する無端状のキャリアと、缶体の一方の端部に設けられ、上記キャリアにびんを供給する給壜部と、この給壜部の上方に設けられ、上記キャリアからびんを排出する排壜部と、上記給壜部および排壜部側と缶体内の洗浄領域とを区画する隔壁とを備えたものであって、特に、上記給壜部側と排壜部側とを、上記キャリアが通過可能に遮断する第１の仕切板と、この第１の仕切板と接続され、排壜部と上記キャリアの移動領域との間を遮断するとともに、キャリアから取出されるびんが通過する穴を有する第２の仕切板とを設け、上記缶体内にその両側壁面、端部壁面、天面および第１第２の仕切板とにより排壜部を囲む空間を形成し、かつ、この空間内に空気を吹出す空気吹出口と、この空気吹出口に清浄な空気を供給し、排壜部側を陽圧に保持しこの清浄な空気を上記穴からキャリアの移動領域側に流出させる供給手段とを設けたものである。
【０００９】
この第２の発明に係る洗壜機では、給壜部側と排壜部側とを区画する第１の仕切板に加えて、排壜部側とキャリアの移動経路側との間を区画する第２の仕切板を設けてあるので、空気吹出口から排壜部の空間内に清浄な気体を吹込むと、この空間内が陽圧になり、給壜部側の雰囲気が侵入することを防止するが、特に、排壜部の空間は、第１の仕切板に加えて第２の仕切板によっても区画されているので上記第１の発明の場合よりも狭くなっており、しかも、他の部分と連通している開口部の面積が小さいので、少量の清浄空気を効率良く利用することができる。
【００１０】
【発明の実施の形態】
以下、図面に示す実施例により本発明を説明する。図１は本発明の一実施例に係るシングルエンドタイプの洗壜機の要部の縦断面図であり、この洗壜機は、缶体２の内部に多数のスプロケット４（１つだけを図示して他は省略）を介して掛け回されたキャリア６を備えており、このキャリア６によって多数のびん８を連続的に搬送する間に洗浄を行なう。
【００１１】
上記キャリア６は、スプロケット４に掛け回された無端状チェーンと、この無端状チェーンに等間隔で取付けられた多数のびんホルダとを備えており、各びんホルダ内に１本ずつびん８を収容して搬送する。缶体２の一方の端部側（図１に示す部分）の下部に給壜部１０が設けられており、外部からこの缶体２内に搬入されたびん８を上記無端状のキャリア６の各びんホルダ内に挿入する。
【００１２】
この給壜部１０において、びん８がキャリア６の各びんホルダ内に挿入される位置の下方には、予備浸漬槽１２が配置されており、キャリア６によって連続的に搬送される多数のびん８をこの予備浸漬槽１２内に浸漬することにより予備的な洗浄を行なう。予備浸漬槽１２の上方には、下端部１４ａが予備浸漬槽１２の液中に挿入されている直立した隔壁１４が設けられており、上記給壜部１０および後に説明する排壜部１６側と、図示しないジェット洗浄部、複数の浸漬槽およびすすぎ槽等を備えた洗浄領域１８（図１の右側）との間を区画している。この隔壁１４の下部１４ａは、予備浸漬槽１２の液中に挿入されて給壜部１０側と洗浄領域１８側とを完全に遮断しているが、上端部１４ｂは、キャリア６が走行可能なように、缶体２の天面２ａとの間に間隙１９を有している。なお、洗浄領域１８の構成は、上記のようなジェット洗浄部、浸漬槽およびすすぎ槽等を備えたものに限定されないことは勿論である。
【００１３】
上記給壜部１０は、予備浸漬槽１２と垂直な隔壁１４とによって洗浄領域１８と区画されている一方の端部側の下部に設けられており、同じ端部側の、この給壜部１０の上方に、上記洗浄領域１８において洗浄された多数のびん８を、キャリア６のびんホルダから取出して缶体２の外部に排出する排壜部１６が設けられている。このように給壜部１０と排壜部１６とが缶体の同一の端部側の上下に設けられたタイプの洗壜機をシングルエンドタイプの洗壜機と呼んでいる。
【００１４】
さらに、本実施例では、缶体２内の上記端部（図１の左端）側の下部に設けられている給壜部１０と、上部に設けられている排壜部１６との間を区画する水平な仕切板２０が設けられている。この水平な仕切板２０は、缶体２の端部壁面２ｂに固定されたエプロン２２および洗浄後のびん８を缶体２外へ搬出する排壜コンベア２４と、上記垂直な隔壁１４寄りに配設されている無端状キャリア６の走行経路との間に配置されており、仕切板２０と排壜コンベア２４との間には小さい間隙２６が形成され、また、水平な仕切板２０と垂直な隔壁１４との間にも、無端状のキャリア６が走行可能な間隙２８が形成されている。上記缶体２の端部壁面２ｂの排壜コンベア２４と向かい合う部分には、透明の樹脂パネル３０が開閉可能に設けられており、排出されるびん８が転倒した場合等には、このパネル３０を開けて処理することができるようになっている。なお、水平な仕切板２０と排壜コンベア２４との間の間隙２６は必ずしも必要ではなく、ほとんど隙間のない状態にしても良い。
【００１５】
給壜部１０および排壜部１６側と洗浄領域１８とを区画する垂直な隔壁１４の上端部１４ｂのやや下方が、排壜部１６側に向けて折曲げられており、この折曲げられた部分１４ｃの内側に、空気の吹出し口３２が設けられている。この空気吹出口３２は、缶体２の外部に設けられたブロア３４に接続されており、フィルタ３６を介して濾過した外気を、排壜部１６の設けられている空間３８（すなわち、缶体２の両側壁面２ｃ、端部壁面２ｂ、天面２ａ、垂直な隔壁１４および水平な仕切板２０等によって囲まれた空間）内に吹出すようになっている。なお、空気吹出口３２の位置は、必ずしも隔壁１４の上部に形成されている折曲げ部１４ｃの内側に限定されるものではないが、この実施例では、上記空間３８内の各方向に向かって吹出しやすいようにこの位置に設けられている。
【００１６】
以上の構成に係るシングルエンドタイプの洗壜機の作用について説明する。缶体２の外部の搬送コンベアによって搬送されてきた多数のびん８は、缶体２の端部の下方に設けられた給壜部１０側から缶体２内に搬入され、従来周知のびん挿入機構により、缶体２内を走行している無端状キャリア６の各びんホルダ内に挿入される。びんホルダ内に収容されたびん８は、キャリア６の走行に伴なって、先ず、予備浸漬槽１２内に浸漬されて予備洗浄が行なわれる。その後、これらのびん８は、垂直な隔壁１４の向こう側の洗浄領域１８内に入り、この洗浄領域１８内を搬送される間に、図示しないジェット洗浄部において洗浄液が噴射され、また、苛性溶液等の洗浄液を貯留した浸漬槽内に浸漬されることにより洗浄され、その後、すすぎ洗浄等が行なわれた後、再び、垂直な隔壁１４の上方から排壜部１６側へ搬送される。
【００１７】
キャリア６によって搬送される間に、上記洗浄領域１８内で洗浄されたびん８は、排壜部１６でびんホルダから取出され、排壜コンベア２４によって缶体２の外部に搬出される。この排壜部１６が設けられている空間３８内には、空気の吹出口３２が設けられており、フィルタ３６を介して濾過された清浄な空気がブロア３４によって吹出されている。この空間３８は、缶体２の両側壁面２ｃ、端部壁面２ｂ、天面２ａ、水平な仕切板２０および垂直な隔壁１４等によって、缶体２の外部、缶体２内の給壜部１０および洗浄領域１８とほぼ区画されており、洗浄領域１８側とは、無端状のキャリア６が走行可能な狭い間隙１９により連通され、また、給壜部１０側とは、キャリア６が走行可能な狭い間隙２８および水平な仕切板２０と排壜コンベア２４との間の小さい間隙２６によって連通されている。従って、この空間３８内に清浄な空気が吹込まれると、この空間３８内が陽圧になるとともに、清浄な空気が、上記各間隙１９，２６，２８から洗浄領域１８側および下方の給壜部１０側に吹出す。その結果、給壜部１０および缶体２の外部の雰囲気や予備浸漬槽１２からの蒸気あるいは洗浄領域１８側の雰囲気等が排壜部１６側に侵入することがなく、排壜部１６内の雰囲気が清浄な状態に維持される。また、排壜部１６側に常時空気を吹込んでおくことにより、内部が乾燥し、湿気によるカビや錆の発生を防止し、また、洗浄領域１８において次亜塩素水による洗浄を行なっている場合にも、次亜塩素雰囲気による錆の発生を防止することができる。
【００１８】
図２は第２の実施例に係る洗壜機を示すもので、シングルエンドタイプの洗壜機としての基本的構成は上記第１実施例のものと同様であるので、同一の部分には同一の符号を付してその説明を省略する。この実施例では、缶体２の一方の端部側の下部に設けられている給壜部１０と、上部に設けられている排壜部１６との間に、水平な仕切板２０が配置されて給壜部１０側と排壜部１６側とが上下に区画され、さらに、この水平な仕切板２０の上方に位置している排壜部１６とキャリア６側との間が、縦方向の仕切板５０によって区画されている。この縦方向の仕切板５０は、本実施例では、図３に示すように、びんホルダ５２から取出されるびん８の底面を支持するびん底ガイドを兼ねており、上記スプロケット４よりも下方に位置する部分はキャリア６の走行経路とほぼ一致する傾斜を有しており、その下端部５０ａは上記水平な仕切板２０に連結されている。また、この縦方向の仕切板５０の上部５０ｂは、スプロケット４を囲むように折曲げられており、スプロケット４の側部付近で、この縦方向の仕切板５０が缶体２の端部壁面２ｂに接近して、両者２，５０間に狭い通路５４が形成されている。
【００１９】
上記のように、下部の給壜部１０側と上部の排壜部１６側とが、水平の仕切板２０によって区画され、かつ、この水平の仕切板２０よりも上部の排壜部１６側とキャリア６側とが、縦方向の仕切板５０によってさらに区画されているので、排壜部１６は、缶体２の両側壁面２ｃと、端部壁面２ｂと、天面２ａと、下方の水平な仕切板２０と、縦方向の仕切板５０とによって形成されているほぼ密閉された空間５６内に配置されている。そして、この空間５６は、上記縦方向の仕切板（びん底ガイド）５０に設けられて、びんホルダ５２から取出されたびん８が通過する穴５０ｃ、および排壜コンベア２４が外部に連通する開口５８によって僅かに外部（キャリア６側および缶体２の外部）と連通している。また、水平な仕切板２０よりも上方のキャリア６側は、缶体２の両側壁面２ｃと垂直な隔壁１４と縦方向の仕切板５０とによって囲まれた空間６０になっており、走行するキャリア６の通過する間隙１９，２８によって、図２の右方の洗浄領域１８および下方の給壜部１０側とそれぞれ連通している。さらに、上記洗浄領域１８の下流寄りに位置している洗浄部６１付近の缶体２の天面２ａには、洗浄領域１８の内部の空気を缶体２の外部に排出する排気ダクト６２が設けられている。
【００２０】
上記排壜部１６が設けられている空間５６の天面２ａには、この空間５６内に空気を吹出すための開口（空気吹出口）６４が形成されており、この開口６４上に、清浄用のフィルタ６６が取付けられている。この清浄用フィルタ６６には、上記第１実施例と同様のフィルタ（粗塵フィルタ）３６およびブロア３４が接続されており、外部の空気を濾過した清浄な空気をこの排壜部１６が設けられた空間５６内に送り込むことができるようになっている。
【００２１】
以上の構成に係るシングルエンドタイプの洗壜機では、上記実施例と同様に、給壜部１０において、無端状キャリア６に取付られている各びんホルダ５２内に挿入されたびん８は、このキャリア６の走行によって洗浄領域１８内を連続的に搬送され、この搬送中に各種の洗浄が行なわれた後、垂直な隔壁１４の上部１４ｂを越えて排壜部１６側に戻る。図３に示すように、無端状のキャリア６がスプロケット４の周囲を回ると、びんホルダ５２が反転され内部に保持されているびん８は縦方向の仕切板（びん底ガイド）５０に底面を案内されて下降し、びん底ガイド５０の穴５０ｃから排壜部１６側へ抜け出す。傾斜した状態でびんホルダ５２から取出されたびん８は、起立されて排壜コンベア２４上に載せられて缶体２の外部に排出される。
【００２２】
洗壜機の運転中は、ブロア３４の作動によって、外部の空気が清浄用のフィルタ６６を介して排壜部１６が設けられた空間５６内に吹込まれている。この空間５６内に吹込まれた清浄な空気は、空間５６内を陽圧にするとともに、排壜部１６の排壜コンベア２４の開口５８から缶体２の外部へ流出し、また、縦方向の仕切板（びん底ガイド）５０に形成された穴５０ｃから、無端状のキャリア６の走行経路側の空間６０へ流れ出る。キャリア６の走行経路側の空間６０へ流れ出た空気は、一部が、垂直な隔壁１４の上部の間隙１９から洗浄領域１８側へと流入し、洗浄領域１８の缶体２の天面２ａに設けられている排気ダクト６２から外部へ流出する。また、キャリア６の走行経路側の空間６０へ流入した清浄な空気の一部は、キャリア６の給壜部１０側への経路に沿って間隙２８から水平な仕切板２０の下方側へと流入する。従って、下方の給壜部１０側の雰囲気および予備洗浄部１２からの蒸気が排壜部１６側へ上昇してくることがなく、しかも、洗浄領域１８の空気や外部の濾過されていない空気が排壜部１６側に流入することもないので、排壜部１６が設けられている空間５６内の清浄な雰囲気を維持することができる。特に、排壜部１６側の空間５６は、この空間５６が外部側と連通する開口（仕切板５０の穴５０ｃおよび排壜コンベア２４の開口５８）の面積が小さいので、少量の清浄な空気を吹込むことにより内部を陽圧にすることができるので、清浄な空気を効率良く利用することができる。
【００２３】
【発明の効果】
以上述べたように本発明によれば、缶体内に掛け回され、多数のびんを保持して搬送する無端状のキャリアと、缶体の一方の端部に設けられ、上記キャリアにびんを供給する給壜部と、この給壜部の上方に設けられ、上記キャリアからびんを排出する排壜部と、上記給壜部および排壜部側と缶体内の洗浄領域とを区画する隔壁とを備えた洗壜機に、上記給壜部側と排壜部側とを、上記キャリアが通過可能に遮断する仕切板を設け、上記缶体内にその両側壁面、端部壁面、天面およびこの仕切板とにより排壜部を囲む空間を形成し、かつ、排壜部側の空間に設けた空気吹出口と、この空気吹出口に清浄な空気を供給し、排壜部側を陽圧に保持しこの清浄な空気を給壜部側および洗浄領域側に流出させる供給手段とを設け、排壜部側の空間内に洗浄な気体を吹込んで、この空間を陽圧にするとともに、この空間から給壜部側や洗浄領域側に清浄な気体を流出させることにより、給壜部や洗浄領域の雰囲気あるいは外気等が排壜部側の空間内に侵入することを防止することができる。また、上記清浄な気体を常時送り込んでおくことにより、内部を乾燥させておくことができるので、湿気によるカビや錆が発生することを防止することができる。
【００２４】
また、第２の発明に係る洗壜機では、上記給壜部側と排壜部側とを、上記キャリアが通過可能に遮断する第１の仕切板と、この第１の仕切板と接続され、排壜部と上記キャリアの移動領域との間を遮断するとともに、キャリアから取出されるびんが通過する穴を有する第２の仕切板とを設け、上記缶体内にその両側壁面、端部壁面、天面および第１第２の仕切板とにより排壜部を囲む空間を形成し、かつ、この空間内に空気を吹出す空気吹出口と、この空気吹出口に清浄な空気を供給し、排壜部側を陽圧に保持しこの清浄な空気を上記穴からキャリアの移動領域側に流出させる供給手段とを設けたことにより、排壜部が設けられている空間を狭くするとともに、この空間と外部とを連通する開口部の面積を小さくすることができるので、少量の清浄な空気を効率良く利用して、排壜部側の清浄な雰囲気を維持することができる。
【図面の簡単な説明】
【図１】本発明の一実施例に係るシングルエンドタイプの洗壜機の要部を示す縦断面図である。
【図２】第２の実施例に係るシングルエンドタイプの洗壜機の要部を示す縦断面図である。
【図３】図２の要部を拡大して示す図である。
【符号の説明】
２    缶体
６    無端状のキャリア
８    びん
１０    給壜部
１４    隔壁
１６    排壜部
１８    洗浄領域
２０    仕切板（水平な仕切板）
３２    空気吹出口
３４    供給手段（ブロア）
５０    第２の仕切板（びん底ガイド）
【図１】
0003629582.tif 000002
【図２】
0003629582.tif 000003
【図３】
0003629582.tif 000004